(57)【特許請求の範囲】
【請求項１】
ベース板に立設された柱部の上端に受け金具を備え、柱部はそれぞれ内面に互いに巻き方向の異なる雌ねじ部を形成した下部の第１筒部と上部の第２筒部との間が、これら第１筒部と第２筒部の各雌ねじ部に対応する第１雄ねじ部と第２雄ねじ部が下部と上部にそれぞれ形成され、両雄ねじ部間に回動操作用のハンドル部を設けた雄ねじ体により接続され、上記第１筒部の下端が前記ベース板の上面中央に、第２筒部の上端が前記受け金具の水平部下面にそれぞれ取り付けられ、上記受け金具は、前記水平部の左右に側板部が立設され、かつ水平部の上面に緩衝材が敷設され、また、前記第１筒部を、ベース板に対して左右方向に取付位置が調節できるように取り付け、かつ前記受け金具の側板内面に、上下に延びるガイド溝を形成し、また、上下方向に延び、外側へ突出するガイドリブを有するガイド板を備え、大引の側面に取り付けたガイド板のガイドリブが前記側板のガイド溝内に嵌入されるように構成してなる鋼製束。
【請求項２】
前記緩衝材の上面に、前後左右の溝を形成してなる請求項１に記載の鋼製束。
【請求項３】
前記ベース板の中央に、上方に突出する中央凸部を設け、この中央凸部の平坦面に左右に延びる長孔を設け、ベース板の下面から上方へねじ部を突出せしめたボルトのねじ部に、前記第１筒部の下端部寄り内面に形成した雌ねじ部を、ナットを介して螺合せしめてベース板に第１筒部を取り付け、前記ボルトと、ナットおよび上記雌ねじ部との間を緩めることにより、ベース板に対する第１筒部の左右位置を調節できるようにした請求項１に記載の鋼製束。
【請求項４】
ベース板に立設された柱部の上端に受け金具を備え、柱部はそれぞれ内面に互いに巻き方向の異なる雌ねじ部を形成した下部の第１筒部と上部の第２筒部との間が、これら第１筒部と第２筒部の各雌ねじ部に対応する第１雄ねじ部と第２雄ねじ部が下部と上部にそれぞれ形成され、両雄ねじ部間に回動操作用のハンドル部を設けた雄ねじ体により接続され、上記第１筒部の下端が前記ベース板の上面中央に、第２筒部の上端が前記受け金具の水平部下面にそれぞれ取り付けられ、上記受け金具は、前記水平部の左右に側板部が立設され、かつ水平部の上面に緩衝材が敷設され、また、前記第１筒部を、ベース板に対して左右方向に取付位置が調節できるように取り付け、さらに前記受け金具の側板内面に、上下に延びるガイド溝を設けてなる鋼製束の前記ベース板を建築物のコンクリートベースに接着によって固定し、また、上下方向に延び、外側へ突出するガイドリブを有するガイド板を大引の側面に取り付け、上記ガイドリブをガイド溝内に嵌入せしめ、前記受け金具により大引の下面および側面を支持してなる大引の支持構造。
【請求項５】
前記緩衝材の上面に、前後左右の溝を形成してなる請求項４に記載の大引の支持構造。
【請求項６】
前記鋼製束におけるベース板の中央に、上方に突出する中央凸部を設け、この中央凸部の平坦部に左右に延びる長孔を設け、ベース板の下面から上方へねじ部を突出せしめたボルトのねじ部に、前記第１筒部の下端部寄り内面に形成した雌ねじ部を、ナットを介して螺合せしめてベース板に第１筒部を取り付け、前記ボルトと、ナットおよび上記雌ねじ部との間を緩めることにより、ベース板に対する第１筒部の左右位置を大引の位置にあわせて調節できるようにした請求項４に記載の大引の支持構造。
【発明の詳細な説明】
【０００１】
【発明の属する技術分野】
本発明は住宅等の建築物における床部の大引を支持するための鋼製束および同鋼製束を用いた大引の支持構造に関する。
【０００２】
【従来の技術とその問題点】
大引は住宅等の建築物において床板を支持する水平構造部材であり、断面が１００×１００ｍｍから１５０×１５０ｍｍ程度の太さの角材や金属製の各パイプ状構造材で鋼製され、大引の端部は基礎や柱によって直接支承される土台に接続され、中央部は必要に応じて束によって支持される。
【０００３】
例えば、広い間取りの部屋の床下における大引は端部を土台で支持するだけでは強度が不足するので、途中を何本かの束で支持しなければならないし、ピアノや大型の書棚等の家具を置く部屋の床下においても床の耐荷重を大ならしめるために所要数の束を設ける。
【０００４】
上述した束には、長さの調節が可能な鋼製束が一般的に用いられており、その構造の一例を図６に示す。
同図６において、符号３１は受け金具、３２はパイプ式ターンバックル、３３はベース板を示しており、ターンバックル３２の中央パイプ３２ａを正逆方向に回動させることによって上下のねじ棒３２ｂ、３２ｃの各下端部と上端部が中央パイプから送り出されまたは収容されてターンバックル全体が伸縮する構成となっている。
【０００５】
建築物の施工の際には、前記ターンバックル３２の操作によってベース板３３から受け金具３１の水平部３１ａまでの高さを建築物のコンクリートベース３４から大引３５の下面高さとほぼ同じに設定して所定の位置に立てておき、受け金具に大引を載せてから再びターンバックルを操作して高さを微調整し、受け金具３１の側板３１ｂ、３１ｂにあけた孔を通して大引を釘３６等の固定具で固定する。
【０００６】
ところで、木材よりなる大引３５は経年変化により徐々に細くなり、上述した従来の鋼製束では、図６中に仮想線で示されるように大引の下面と受け金具３１の水平部３１ａとの間に隙間Ｓが生じる。
このような隙間Ｓが生じると、床上を人が歩く際に釘３６等の固定具と受け金具の側板３１ｂとが擦れていわゆる床鳴りと呼ばれるきしみ音が生じる。
【０００７】
上記きしみ音を解消するには、作業員が床下に入り込み、釘等の固定具を取り外し、ターンバックル３２を操作して受け金具を上昇させて水平部３１ａを大引の下面に当接させ、かつ大引３５の側面と側板３１ｂ、３１ｂとの間の隙間に詰めものをして新たな釘等の固定具で大引を固定する。
【０００８】
しかし、上述した作業は煩雑で手間が掛かり、しかも大引の経年変化は止まらないので、さらなる時間の経過によって再び同様のきしみ音が生じるおそれもあり、根本的な問題解決にはならない。
【０００９】
なお、上述したきしみ音の問題点は大引が木製のものの場合に生じるのであるが、大引に金属製のものを使用する建築物もあり、このような建築物の場合は大引の経年変化による上述のようなきしみ音の発生はない。
【００１０】
しかし、建築物に不等沈下が生じた場合には、従来の鋼製束では大引が木製であるか金属製であるかにかかわらず次ぎのような問題がある。
【００１１】
建築物の不等沈下は地下水位の変動等の地盤の変化によって生じるのであるが、この不等沈下が生じると、鋼製束の受け金具３１と大引３５との間に水平方向および鉛直方向のずれが生じる。
【００１２】
ところで、大引が木製のものである場合には、前述したとおり受け金具３１を釘等の固定具で大引３５に取り付けるのであるが、大引が金属製のものである場合にも互いに係合する凹凸等の係合部を大引と受け金具の間に形成しておき、これらを係合させたり、あるいはボルト等の固定具で互いに固定する。すなわち、大引が木製のものであっても、金属製のものであっても、受け金具と大引との間では水平方向のずれを許容することができない。なお、鉛直方向のずれはターンバックル３２の操作により調節することが可能である。
【００１３】
したがって建築物に不等沈下が生じると従来の鋼製束では、大引と受け金具との間のずれによってこれら大引や受け金具に変形や損傷が発生するおそれがあり、このような変形や損傷は建築物の耐荷重性能を低下せしめる原因となるだけでなく、前述した木製の大引の経年変化によるきしみ音と同様のきしみ音を生じる原因ともなる。
【００１４】
【目的】
本発明の目的とするところは、大引の経年変化によるきしみ音が発生することはなく、また建築物の不等沈下による水平方向および鉛直方向のずれに対する調節を容易に行なうことができて建築物の耐荷重性能を高度に維持することができる鋼製束および同鋼製束を用いた大引支持構造を提供することにある。
【００１５】
【発明の構成】
上記目的を達成するために、本発明に係る鋼製束は、ベース板に立設された柱部の上端に受け金具を備え、柱部はそれぞれ内面に互いに巻き方向の異なる雌ねじ部を形成した下部の第１筒部と上部の第２筒部との間が、これら第１筒部と第２筒部の各雌ねじ部に対応する第１雄ねじ部と第２雄ねじ部が下部と上部にそれぞれ形成され、両雄ねじ部間に回動操作用のハンドル部を設けた雄ねじ体により接続され、上記第１筒部の下端が前記ベース板の上面中央に、第２筒部の上端が前記受け金具の水平部下面にそれぞれ取り付けられ、上記受け金具は、前記水平部の左右に側板部が立設され、かつ水平部の上面に緩衝材が敷設され、また、前記第１筒部を、ベース板に対して左右方向に取付位置が調節できるように取り付け、かつ前記受け金具の側板内面に、上下に延びるガイド溝を形成し、また、上下方向に延び、外側へ突出するガイドリブを有するガイド板を備え、大引の側面に取り付けたガイド板のガイドリブが前記側板のガイド溝内に嵌入されるように構成してある。
【００１６】
また、前記緩衝材の上面に、前後左右の溝を形成した構成のものとしてある。
【００１７】
さらに、前記ベース板の中央に、上方に突出する中央凸部を設け、この中央凸部の平坦面に左右に延びる長孔を設け、ベース板の下面から上方へねじ部を突出せしめたボルトのねじ部に、前記第１筒部の下端部寄り内面に形成した雌ねじ部を、ナットを介して螺合せしめてベース板に第１筒部を取り付け、前記ボルトと、ナットおよび上記雌ねじ部との間を緩めることにより、ベース板に対する第１筒部の左右位置を調節できるようにした構成のものとしてある。
【００１８】
本発明に係る大引支持構造は、ベース板に立設された柱部の上端に受け金具を備え、柱部はそれぞれ内面に互いに巻き方向の異なる雌ねじ部を形成した下部の第１筒部と上部の第２筒部との間が、これら第１筒部と第２筒部の各雌ねじ部に対応する第１雄ねじ部と第２雄ねじ部が下部と上部にそれぞれ形成され、両雄ねじ部間に回動操作用のハンドル部を設けた雄ねじ体により接続され、上記第１筒部の下端が前記ベース板の上面中央に、第２筒部の上端が前記受け金具の水平部下面にそれぞれ取り付けられ、上記受け金具は、前記水平部の左右に側板部が立設され、かつ水平部の上面に緩衝材が敷設され、また、前記第１筒部を、ベース板に対して左右方向に取付位置が調節できるように取り付け、さらに前記受け金具の側板内面に、上下に延びるガイド溝を設けてなる鋼製束の前記ベース板を建築物のコンクリートベースに接着によって固定し、また、上下方向に延び、外側へ突出するガイドリブを有するガイド板を大引の側面に取り付け、上記ガイドリブをガイド溝内に嵌入せしめ、前記受け金具により大引の下面および側面を支持してなる構造としてある。
【００１９】
また、前記緩衝材の上面に、前後左右の溝を形成してなる構造としてある。
【００２０】
さらに、前記鋼製束におけるベース板の中央に、上方に突出する中央凸部を設け、この中央凸部の平坦部に左右に延びる長孔を設け、ベース板の下面から上方へねじ部を突出せしめたボルトのねじ部に、前記第１筒部の下端部寄り内面に形成した雌ねじ部を、ナットを介して螺合せしめてベース板に第１筒部を取り付け、前記ボルトと、ナットおよび上記雌ねじ部との間を緩めることにより、ベース板に対する第１筒部の左右位置を大引の位置にあわせて調節できるようにした構造としてある。
【００２１】
【実施例】
以下、本発明に係る鋼製束および同鋼製束を用いた大引支持構造の実施例を添付図面に基づいて詳細に説明する。
本発明の鋼製束は、ベース板１、柱部２および受け金具３よりなり、ベース板１の中央に立設した柱部２を介して受け金具３が支持されている。
【００２２】
上記柱部２は、下端が前記ベース板１の中央上面に取り付けられた下部の第１筒部４と、上端が受け金具３の下面に固定された上部の第２筒部５と、これら第１筒部、第２筒部を接続する雄ねじ体６を備えている。
【００２３】
上記第１筒部４の下端にはナット７を設けてあり、また第１筒部の下端部寄り内面に雌ねじ部４ｂを形成してあって、これらナットと雌ねじ部に対し、ベース板１の下面側からベース板の長孔９を通してねじ部８ａを上方へ突出させたボルト８のねじ部を螺合せしめて第１筒部４をベース板１に固定してある。
【００２４】
しかして、前記ベース板１の長孔９はベース板の中央凸部１ａの平坦部中央に左右方向に形成されており、中央凸部の側面にあけた窓孔１ｄからレンチ等の工具を差し込んで前記ボルト８の頭部を回り止めし、この状態でナット７を緩めるとベース板１に対する第１筒部４の左右方向の位置、すなわちベース板１に対する受け金具３の左右方向の位置を調節できるようになっている。
【００２５】
前記ベース板の中央凸部１ａの平坦部の高さは前記ボルト８の頭部の厚さ（軸方向の幅）よりも若干（１〜２ｍｍ程度）大としてあり、ボルトが直接荷重を受けないように構成してある。
【００２６】
なお、ベース板１には上記中央凸部１ａの他に補強リブ１ｂおよびコーナー孔１ｃをいずれもプレス成型により設けてあり、補強リブ１ｂはベース板を建築物のコンクリートベース１０に接着剤にて固定する際の接着剤溜まりとなり、コーナー孔１ｃは余剰の接着剤をベース板１の上面側に排出することを目的として設けてある。
【００２７】
前記第１筒部４と第２筒部５の内面には、それぞれ巻き方向が互いに異なる雌ねじ部４ａ、５ａが形成されていて、各雌ねじ部４ａ、５ａに対応する第１雄ねじ部６ａと第２雄ねじ部６ｂが雄ねじ体６の下部と上部にそれぞれ形成されており、両雄ねじ部６ａ、６ｂ間には雄ねじ体６を正逆回動させるためのハンドル部６ｃを設けてあり、このハンドル部は例えばモンキーレンチ等の工具で操作することができるように六角柱状のものとしてある。
【００２８】
また、雄ねじ体６の第１雄ねじ部６ａと第２雄ねじ部６ｂにはそれぞれナット１１ａ、１１ｂを螺合せしめてあって、雄ねじ体６の正逆回動によって柱部２全体を伸縮せしめた際に、これらのナットを第１筒部と第２筒部の開口端に向かって締め付けることにより、第１筒部４、第２筒部５と雄ねじ体６とを強固に締結できるようにしてある。
【００２９】
また、第２筒部５の上端は受け金具３の水平部３ａ下面に溶接により固定されており、受け金具３における水平部の左右には、大引１２の側面を保持するための側板部３ｂ、３ｂを立設してあり、これら側板部の上部は外側に向かって若干拡げてられていて、大引の導入を容易ならしめてある。
上記各側板部３ｂの内面には、上下方向にガイド溝１３、１３を形成してあり、このガイド溝については後述する。
【００３０】
また、受け金具３の水平部３ａ上面には緩衝材１４を敷設してあり、この緩衝材は図３に一部を拡大して示すように上面に前後左右の溝１４ａを形成した例えば厚さが１〜２ｃｍ程度の合成ゴム板よりなるものとしてあり、これらの溝１４ａによって緩衝効果を大ならしめるようにしてある。
【００３１】
次ぎに、上述のように構成した鋼製束の使用方法について説明する。
まず、ボルト８とナット７間を締めて第１筒部４をベース板１の中央に固定し、ベース板を接着剤により建築物のコンクリートベース１０に固定する。
その後、雄ねじ体６のハンドル部６ｃを正逆回動せしめてベース板に対する受け金具３の高さを所定の高さに設定し、ナット１１ａ、１１ｂを締め付ける。
【００３２】
鋼製束によって支持される部分の大引側面に、ガイド板１５、１５を釘１６、１６等の固定具や接着等の適宜の固定手段により取り付ける。このガイド板１５、１５の外側面にはそれぞれ外側に突出し、上下方向に延びるガイドリブ１７、１７が形成されていて、前記受け金具３の側板部３ｂ、３ｂにおけるガイド溝１３、１３内に嵌入できる寸法になっている。なお、ガイドリブ１７、１７の外面とガイド溝１３、１３の内面との間には適宜の遊びを設けておく。
【００３３】
しかして、予めガイド板１５、１５を取り付けた大引１２をガイド板のガイドリブ１７、１７を受け金具のガイド溝１３、１３に合わせて大引の下面を前記水平部３ａ上の緩衝材１４に載せる。
【００３４】
その後、必要に応じて再びナット１１ａ、１１ｂを緩め、雄ねじ体６のハンドル部６ｃを正逆回動せしめて受け金具３の高さを微調整し、施工を完了する。
なお、上述した実施例においては大引１２にガイド板１５、１５を取り付けるようにしてあるが、ガイド板を取り付けないで使用する場合もあるし、またガイド板を使用しない場合には、図５に示されるように側板部にガイド溝を形成していない受け金具１８を用いる場合もある。
【００３５】
上述のように本発明の鋼製束を用いた大引の支持構造においては、建築物の施工時の施工誤差や建築物の不等沈下により大引の位置にずれが生じた場合において次ぎのように大引の位置ずれに対する修正を行なう。
【００３６】
まず、鉛直方向のずれに対しては、ナット１１ａ、１１ｂを緩めて雄ねじ体６のハンドル部６ｃを正逆回動せしめ、受け金具３の高さを調節し、再びナット１１ａ、１１ｂを締める。
【００３７】
また、左右方向のずれやねじれに対しては、ボルト８の頭部を回り止めした状態でナット７を回動させて緩め、長孔９に沿ってボルト８を移動させて左右方向の位置を修正し、また柱部２全体を受け金具３とともに軸まわりに回動せしめてねじれを修正し、修正後にナット７を締めて修正作業を終了する。
【００３８】
さらに、前後方向のずれに対しては、すれが小なるものであればガイド溝１３内面とガイドリブ１７外面との間の遊びがずれを吸収し、ずれが大である場合には大引１２に取り付けてあるガイド板を一旦取り外してその取付位置を変える。
【００３９】
なお、大引１２にガイド板１５を取り付けない場合にはこの前後方向のずれに対する修正は不要である。
【００４０】
【発明の作用、効果】
本発明に係る鋼製束および同鋼製束を用いた大引支持構造によれば、大引と受け金具との間には従来のように釘等の固定具による固定を行なわず、しかも受け金具の水平部上面に設けた緩衝材により大引の下面が支持されるので、木製の大引が経年変化により細くなっても、きしみ音のような不快な騒音が発生することがない。
【００４１】
また、建築物の施工時における施工誤差や建築物の不等沈下によって大引の位置がずれても、ベース板に対する受け金具の水平方向および鉛直方向の位置を容易かつ正確に調節、修正することができ、建築物の耐荷重性能を充分かつ確実に維持することができる。
【図面の簡単な説明】
【図１】本発明に係る鋼製束を用いた大引の支持構造の一部破断正面図。
【図２】図１のII-II線により横断して示すベース板の平面図。
【図３】緩衝材の一部を縦断して示す斜視図。
【図４】本発明に係る鋼製束を用いた大引の支持構造の一部を示す分解斜視図。
【図５】本発明に係る他の鋼製束を用いた大引の支持構造の一部を示す分解斜視図。
【図６】従来の鋼製束を用いた大引の支持構造の一部破断正面図。
【符号の説明】
１  ベース板
２  柱部
３  受け金具
３ａ  水平部
３ｂ  側板部
４  第１筒部
５  第２筒部
６  雄ねじ体
７  ナット
８  ボルト
９  長孔
１０  コンクリートベース
１１ａ、１１ｂ  ナット
１２  大引
１３  ガイド溝
１４  緩衝材
１５  ガイド板
１６  釘
１７  ガイドリブ
１８  受け金具
【図１】
0003685770.tif 000002
【図２】
0003685770.tif 000003
【図３】
0003685770.tif 000004
【図４】
0003685770.tif 000005
【図５】
0003685770.tif 000006
【図６】
0003685770.tif 000007